(57)【要約】【課題】既存の配線を利用するなど容易な配線処理を可能としながら、負荷に対する高機能な負荷制御処理を行う。【解決手段】スイッチ子器１０をスイッチ操作されている間だけ当該負荷制御回路の電気的接続を切断する機械式スイッチとし、スイッチ親器２０を当該負荷制御回路の回路電圧を検出し、検出された回路電圧の変化からスイッチ子器１０のスイッチ操作がなされたかどうかを判定し、判定結果に基づき負荷２への電源供給を制御する制御回路２２とを有する電子式スイッチとすることで実現する。【選択図】図１
2007200672.tif 000002
【特許請求の範囲】
【請求項１】
スイッチ親器又はスイッチ子器のスイッチ操作に応じて交流電源から負荷への電源供給を制御する負荷制御回路であって、
前記スイッチ子器は、スイッチ操作されている間だけ当該負荷制御回路の電気的接続を切断する常閉型の機械式スイッチであり、
前記スイッチ親器は、当該負荷制御回路の回路電圧を検出する検出手段と、
前記検出手段によって検出される回路電圧の変化から前記スイッチ子器のスイッチ操作がなされたかどうかを判定する判定手段と、
前記判定手段による判定結果に基づき、負荷への電源供給を制御する制御手段とを有する電子式スイッチであること
を特徴とする負荷制御回路。
【請求項２】
スイッチ親器又はスイッチ子器のスイッチ操作に応じて交流電源から負荷への電源供給を制御する負荷制御回路であって、
前記スイッチ子器は、アノード、カソードが当該負荷制御回路に接続される半導体素子と、
スイッチ操作がない場合には前記半導体素子のアノード、カソード間が導通するよう制御し、スイッチ操作されたことに応じて所定の時間だけ前記半導体素子のアノード、カソード間の導通を停止するよう制御する第１の制御手段とを有する電子式スイッチであり、
前記スイッチ親器は、当該負荷制御回路の回路電圧を検出する検出手段と、
前記検出手段によって検出された回路電圧の変化から前記スイッチ子器のスイッチ操作がなされたかどうかを判定する判定手段と、
前記判定手段による判定結果に基づき、負荷への電源供給を制御する第２の制御手段とを有する電子式スイッチであること
を特徴とする負荷制御回路。
【請求項３】
前記第１の制御手段は、スイッチ操作されたことに応じて、所定の時間だけ前記半導体素子のアノード、カソード間の導通を停止するよう制御することに替えて、
所定の時間だけ前記半導体素子のゲートに所定のパルスパターンを示すパルス信号を供給し、前記半導体素子のアノード、カソード間の導通を制御すること
を特徴とする請求項２記載の負荷制御回路。
【請求項４】
前記スイッチ子器は、前記スイッチ親器の第２の制御手段による制御によって、負荷へ電源供給がなされているかどうかを通知する通知手段と、
当該負荷制御回路の通電状態を検出する通電状態検出手段とを有し、
前記第１の制御手段は、前記通電状態検出状態によって検出された当該負荷制御回路の通電状態に応じて、負荷へ電源供給がなされているかどうかを通知させるよう前記通知手段を制御すること
を特徴とする請求項２又は請求項３記載の負荷制御回路。
【請求項５】
スイッチ操作に応じて交流電源から負荷への電源供給を制御する負荷制御回路に接続される電子式スイッチであって、
前記負荷制御回路の回路電圧を検出する検出手段と、
前記検出手段によって検出される回路電圧の変化から、スイッチ操作されている間だけ前記負荷制御回路の電気的接続を切断する前記負荷制御回路に接続された常閉型の機械式スイッチのスイッチ操作がなされたかどうかを判定する判定手段と、
前記判定手段による判定結果に基づき、負荷への電源供給を制御する制御手段とを備えること
を特徴とする電子式スイッチ。
【請求項６】
スイッチ操作に応じて交流電源から負荷への電源供給を制御する負荷制御回路に接続される電子式スイッチであって、
前記負荷制御回路の回路電圧を検出し、検出された回路電圧の変化から、当該電子式スイッチのスイッチ操作がなされたかどうかを判定し、判定結果に基づき負荷への電源供給を制御するスイッチ親器と共に前記負荷制御回路に接続され、
アノード、カソードを前記負荷制御回路に接続される半導体素子と、
スイッチ操作がない場合には前記半導体素子のアノード、カソード間が導通するよう制御し、スイッチ操作されたことに応じて所定の時間だけ前記半導体素子のアノード、カソード間の導通を停止するよう制御する制御手段とを備えること
を特徴とする電子式スイッチ。
【請求項７】
前記制御手段は、スイッチ操作されたことに応じて、所定の時間だけ前記半導体素子のアノード、カソード間の導通を停止するよう制御することに替えて、
所定の時間だけ前記半導体素子のゲートに所定のパルスパターンを示すパルス信号を供給し、前記半導体素子のアノード、カソード間の導通を制御すること
を特徴とする請求項６記載の電子式スイッチ。
【請求項８】
前記スイッチ親器による制御によって、負荷へ電源供給がなされているかどうかを通知する通知手段と、
前記負荷制御回路の通電状態を検出する通電状態検出手段とを有し、
前記制御手段は、前記通電状態検出状態によって検出された前記負荷制御回路の通電状態に応じて、負荷へ電源供給がなされているかどうかを通知させるよう前記通知手段を制御すること
を特徴とする請求項６又は請求項７記載の電子式スイッチ。
【発明の詳細な説明】
【技術分野】
【０００１】
本発明は、照明の点灯、消灯を制御する照明制御に関し、詳しくは、スイッチ操作に応じて負荷への電源供給を制御する負荷制御回路及び負荷制御回路に用いられる電子式スイッチに関する。
【背景技術】
【０００２】
異なる階数のフロアーからフロアー間を結ぶ階段に設けられた照明の点灯、消灯をそれぞれ切り替え可能とする場合のように、異なる場所に設置されたスイッチによる同一負荷への電源供給制御は、例えば、図６（ａ）に示すような機械式の３路スイッチ５３、５４を用いて３路配線を施した負荷制御回路で実現することができる。
【０００３】
図６（ａ）に示すように機械式の３路スイッチ５３、５４を用い交流電源５１から負荷５２への電源供給を制御するようにした場合、３路スイッチ５３、５４が非常に安価であることから低コストで施工することができる。しかしながら、このような３路スイッチ５３、５４は、負荷である照明の点灯、消灯を切り替えることしかできないため、例えば、照明を任意の明るさに調光したり、タイマによる点灯、消灯の自動管理といった高機能制御をすることができないため、ユーザの多様な要求に応えられなかった。
【０００４】
そこで、負荷制御回路に設けるスイッチを電子式のスイッチとすることで、照明の点灯、消灯に限らず、調光制御や自動点灯、自動消灯といった高機能制御を可能とする負荷制御回路を実現することができる（例えば、特許文献１参照）。
【０００５】
電子式のスイッチを用いた負荷制御回路は、例えば、図６（ｂ）に示すように、電子式のスイッチであるスイッチ親器５５を２線式配線で交流電源５１、負荷５２と接続し、さらに、スイッチ親器５５に専用配線でスイッチ子器５６を接続することで構成される。スイッチ親器５５は、トライアックとＣＰＵ（Central Processing Unit）とを備えており、ユーザによる直接、又はスイッチ子器５６を介した操作入力に応じたＣＰＵにより、トライアックのゲートにパルス信号を供給、パルス信号の供給停止、パルス信号のタイミングを変えるよう指示することで点灯、消灯制御、調光制御を可能とする。また、タイマによる計時に応じてＣＰＵが、点灯、消灯を自動的に制御することも容易に可能となる。
【特許文献１】特開平９−４５１７５号公報
【発明の開示】
【発明が解決しようとする課題】
【０００６】
上述したような電子式のスイッチを負荷制御回路に用いる場合、図６（ｂ）に示すようにしてスイッチ親器５５とスイッチ子器５６とを接続する必要がある。したがって、図６（ａ）に示すような機械式のスイッチである３路スイッチを用いた負荷制御回路において、３路配線された箇所に電子式のスイッチを単純に置き換えて設置することができない。
【０００７】
したがって、既存の宅内で照明を制御するために設置されている負荷制御回路は、図６（ａ）に示すような３路配線された負荷制御回路であることから、電子式のスイッチを設置する場合には、新たに配線工事を行う必要があるため大幅なコスト増加となってしまうといった問題がある。
【０００８】
また、電気工事を担う業者の大多数も、一般的に使用されている３路配線に関しては熟知しているが、製造メーカ毎に異なる独自の配線処理をする必要があるなど様々な制約があるスイッチ親器に対するスイッチ子器の配線処理は、不慣れであることが多く配線ミスなどのトラブルを生じやすいといった問題もある。
【０００９】
そこで、本発明は、上述した実情に鑑みて提案されたものであり、既存の３路配線を利用できるなど容易な配線処理を可能としながら、負荷に対する高機能な負荷制御処理を実現することができる負荷制御回路及び電子式スイッチを提供することを目的とする。
【課題を解決するための手段】
【００１０】
本発明の負荷制御回路は、スイッチ親器又はスイッチ子器のスイッチ操作に応じて交流電源から負荷への電源供給を制御する負荷制御回路であって、前記スイッチ子器を、スイッチ操作されている間だけ当該負荷制御回路の電気的接続を切断する機械式スイッチとし、前記スイッチ親器を、当該負荷制御回路の回路電圧を検出する検出手段と、前記検出手段によって検出された回路電圧の変化から前記スイッチ子器のスイッチ操作がなされたかどうかを判定する判定手段と、前記判定手段による判定結果に基づき、負荷への電源供給を制御する制御手段とを有する電子式スイッチとすることで、上述の課題を解決する。
【００１１】
また、本発明の負荷制御回路は、スイッチ親器又はスイッチ子器のスイッチ操作に応じて交流電源から負荷への電源供給を制御する負荷制御回路であって、前記スイッチ子器を、アノード、カソードが当該負荷制御回路に接続される半導体素子と、スイッチ操作がない場合には前記半導体素子のアノード、カソード間が導通するよう制御し、スイッチ操作されたことに応じて所定の時間だけ前記半導体素子のアノード、カソード間の導通を停止するよう制御する第１の制御手段とを有する電子式スイッチとし、前記スイッチ親器を、当該負荷制御回路の回路電圧を検出する検出手段と、前記検出手段によって検出された回路電圧の変化から前記スイッチ子器のスイッチ操作がなされたかどうかを判定する判定手段と、前記判定手段による判定結果に基づき、負荷への電源供給を制御する第２の制御手段とを有する電子式スイッチとすることで、上述の課題を解決する。
【００１２】
また、本発明の電子式スイッチは、スイッチ操作に応じて交流電源から負荷への電源供給を制御する負荷制御回路に接続される電子式スイッチであって、前記負荷制御回路の回路電圧を検出する検出手段と、前記検出手段によって検出される回路電圧の変化から、スイッチ操作されている間だけ前記負荷制御回路の電気的接続を切断する前記負荷制御回路に接続された常閉型の機械式スイッチのスイッチ操作がなされたかどうかを判定する判定手段と、前記判定手段による判定結果に基づき、負荷への電源供給を制御する制御手段とを備えることで、上述の課題を解決する。
【００１３】
さらにまた、本発明の電子式スイッチは、スイッチ操作に応じて交流電源から負荷への電源供給を制御する負荷制御回路に接続される電子式スイッチであって、前記負荷制御回路の回路電圧を検出し、検出された回路電圧の変化から、当該電子式スイッチのスイッチ操作がなされたかどうかを判定し、判定結果に基づき負荷への電源供給を制御するスイッチ親器と共に前記負荷制御回路に接続され、アノード、カソードを前記負荷制御回路に接続される半導体素子と、スイッチ操作がない場合には前記半導体素子のアノード、カソード間が導通するよう制御し、スイッチ操作されたことに応じて所定の時間だけ前記半導体素子のアノード、カソード間の導通を停止するよう制御する制御手段とを備えることで、上述の課題を解決する。
【発明の効果】
【００１４】
請求項１の発明は、機械式スイッチであるスイッチ子器のスイッチ操作を、電子式スイッチであるスイッチ親器の判定手段が、検出手段で検出される負荷制御回路の回路電圧の変化から判定し、判定結果に応じて負荷への電源供給状態を制御する。
【００１５】
これにより、電子式スイッチであるスイッチ親器を用いた負荷制御方式としながら、スイッチ親器とスイッチ子器とは、１線で配線することができるため容易で安価に施工することができる。また、この負荷制御回路は、３路配線された場所でもスイッチ間の２線のうちのいずれか一方の配線を利用すればよいため、既存の配線状態を有効に活用することを可能とする。
【００１６】
さらに、電子式スイッチであるスイッチ親器を用いることで、機械式スイッチでは実現できなかった、負荷に対する高機能な負荷制御処理も容易に実現することを可能とする。
【００１７】
請求項２の発明は、スイッチ子器を電子式スイッチとして、スイッチ操作がない場合には、半導体素子のアノード、カソード間を導通するように制御し、スイッチ操作されたことに応じて所定の時間だけ半導体素子のアノード、カソード間の導通を停止するように制御する。そして、電子式スイッチであるスイッチ親器の判定手段が、検出手段で検出される負荷制御回路の回路電圧の変化からスイッチ子器のスイッチが操作されたかどうかを判定し、判定結果に応じて負荷への電源供給状態を制御する。
【００１８】
これにより、スイッチ親器は、スイッチ子器が操作されたことを正確に検出することができるため、長押しされたとしても停電時における処理と明確に区別することを可能とする。
【００１９】
請求項３の発明は、スイッチ子器の制御手段が、スイッチ操作に応じて半導体素子のゲートに所定のパルスパターンを示すパルス信号を供給するように制御する。これにより、瞬時停電が発生した場合の誤動作を回避することを可能とする。
【００２０】
請求項４の発明は、スイッチ子器が有する負荷制御回路の通電状態を検出する通電状態検出手段の検出結果に応じて、スイッチ子器よって通知手段を制御することで、負荷への交流電源による電源供給状態を容易に外部に通知することを可能とする。
【００２１】
請求項５の発明は、機械式スイッチのスイッチ操作を、当該電子式スイッチの判定手段が、検出手段で検出される負荷制御回路の回路電圧の変化から判定し、判定結果に応じて負荷への電源供給状態を制御する。
【００２２】
これにより、電子式スイッチを用いた負荷制御方式としながら、電子式スイッチと機械式スイッチとは、１線で配線することができるため容易で安価に施工することができる。また、この負荷制御回路は、３路配線された場所でもスイッチ間の２線のうちのいずれか一方の配線を利用すればよいため、既存の配線状態を有効に活用することを可能とする。
【００２３】
さらに、電子式スイッチを用いることで、機械式スイッチでは実現できなかった、負荷に対する高機能な負荷制御処理も容易に実現することを可能とする。
【００２４】
請求項６の発明は、当該電子式スイッチのスイッチ操作がない場合には、半導体素子のアノード、カソード間を導通するように制御し、スイッチ操作されたことに応じて所定の時間だけ半導体素子のアノード、カソード間の導通を停止するように制御する。そして、スイッチ親器は、検出される負荷制御回路の回路電圧の変化から当該電子式スイッチのスイッチが操作されたかどうかを判定し、判定結果に応じて負荷への電源供給状態を制御する。
【００２５】
これにより、スイッチ親器は、当該電子式スイッチが操作されたことを正確に検出することができるため、長押しされたとしても停電時における処理と明確に区別することを可能とする。
【００２６】
請求項７の発明は、当該電子式スイッチの制御手段が、スイッチ操作に応じて半導体素子のゲートに所定のパルスパターンを示すパルス信号を供給するように制御する。これにより、瞬時停電が発生した場合の誤動作を回避することを可能とする。
【００２７】
請求項８の発明は、当該電子式スイッチが有する負荷制御回路の通電状態を検出する通電状態検出手段の検出結果に応じて、当該電子式スイッチによって通知手段を制御することで、負荷への交流電源による電源供給状態を容易に外部に通知することを可能とする。
【発明を実施するための最良の形態】
【００２８】
以下、本発明の実施の形態について図面を参照して説明する。
【００２９】
［第１の実施の形態］
まず、図１を用いて、本発明の第１の実施の形態として示す負荷制御回路について説明をする。図１に示すように、本発明の第１の実施の形態として示す負荷制御回路は、商用交流電源などである交流電源１と、交流電流方式の白熱灯、調光制御が可能な電球型蛍光灯などの照明である負荷２と、スイッチ子器１０と、スイッチ親器２０とが直列に接続されている。
【００３０】
この負荷制御回路は、スイッチ子器１０又はスイッチ親器２０を介したユーザによるスイッチ操作に応じて、負荷２に対する交流電源１からの電源供給を適切に制御する。
【００３１】
スイッチ子器１０は、機械式スイッチである常閉型の押しボタンスイッチ１１からなる。押しボタンスイッチ１１は、ユーザによる操作がなされていない通常時において、負荷制御回路のスイッチ子器１０での電気的接続を維持する。また、押しボタンスイッチ１１は、ユーザによって操作されている間、負荷制御回路のスイッチ子器１０での電気的接続を切断する。
【００３２】
この、スイッチ子器１０のユーザによる押しボタンスイッチ１１の操作は、押しボタンスイッチ１１の操作が実行される直前における負荷２への交流電源１からの電源供給状態を切り替えることを、スイッチ親器２０に要求するための操作である。
【００３３】
例えば、押しボタンスイッチ１１が操作される直前で、負荷２へ交流電源１から電源供給がされている場合には、押しボタンスイッチ１１を操作することで負荷２への電源供給を停止するよう要求したことを意味する。逆に、押しボタンスイッチ１１が操作される直前で、負荷２へ交流電源１からの電源供給が停止されている場合には、押しボタンスイッチ１１を操作することで負荷２への電源供給を開始するよう要求したことを意味する。
【００３４】
後述するように、この押しボタンスイッチ１１、つまりスイッチ子器１０の操作による負荷２への電源供給状態の切り替え要求は、負荷制御回路の回路電圧の変化としてスイッチ親器２０で検出され、スイッチ親器２０により負荷２への電源供給制御がなされる。
【００３５】
スイッチ親器２０は、双方向サイリスタであるトライアックＴＲＣ１と、交流電源１から供給される交流電源を全波整流して直流電源に変換し、当該スイッチ親器２０を駆動する電源を供給する電源回路２１と、当該スイッチ親器２０を統括的に制御する制御回路２２と、ユーザによって操作され負荷２への電源供給の開始要求、負荷２への電源供給の停止要求を入力する操作スイッチ２３と、制御回路２２に設けられ検出ポートＰで当該負荷制御回路の回路電圧を適切に検出できるように保護する抵抗Ｒ１、Ｒ２、ダイオードＤ１、コンデンサＣ１よりなる保護回路２４とを備える電子式スイッチである。また、図示しないが、スイッチ親器２０は、調光制御をするために、負荷２へ供給する交流電流量を指示する調光スイッチを備えていてもよい。また、タイマにより負荷２の点灯、消灯を時間管理するようにしてもよい。
【００３６】
トライアックＴＲＣ１は、２個のサイリスタを逆並列に接続し、双方向に電流を流せるようにした半導体素子であり、アノード、カソードで負荷制御回路に接続される。スイッチ親器２０は、制御回路２２により、このトライアックＴＲＣ１のゲートにパルス信号を供給、パルス信号の供給停止、パルス信号のタイミングを制御（位相制御）することでアノード、カソード間の導通（ターンオン）、導通の停止（ターンオフ）、負荷２に供給する交流電流量、つまりは交流電力量を制御する。
【００３７】
制御回路２２は、ユーザにより操作スイッチ２３が操作された場合、現在の負荷２への交流電源１からの電源供給状態に基づき、負荷２への電源供給を開始するよう要求されたのか、負荷２への電源供給を停止するよう要求されたのかを判定する。そして、制御回路２２は、判定結果に応じて、トライアックＴＲＣ１のゲートにパルス信号を供給、又はパルス信号の供給停止をすることで、トライアックＴＲＣ１のアノード、カソード間を導通、又は導通を停止するよう制御する。これにより、スイッチ親器２０の操作に応じて、負荷２への交流電源１からの電源供給が制御される。
【００３８】
また、制御回路２２は、検出ポートＰで検出される負荷制御回路の回路電圧に応じて、スイッチ子器１０の押しボタンスイッチ１１の操作により、負荷２への電源供給を開始するよう要求されたのか、負荷２への電源供給を停止するよう要求されたのかを判定する。そして、制御回路２２は、判定結果に応じて、トライアックＴＲＣ１のゲートにパルス信号を供給、又はパルス信号の供給を停止することで、トライアックＴＲＣ１のアノード、カソード間を導通、又は導通を停止するよう制御する。これにより、スイッチ子器１０の操作に応じて、負荷２への交流電源１からの電源供給が制御される。
【００３９】
（負荷制御処理回路の制御処理動作）
続いて、図２、図３を用いて、スイッチ子器１０のスイッチ操作に応じた、スイッチ親器２０の制御回路２２による負荷制御処理動作について説明をする。
【００４０】
図２（ａ）、（ｂ）、（ｃ）は、それぞれ交流電源１から電源供給がなされたオン状態の負荷２をスイッチ子器１０の操作により電源供給を停止させたオフ状態へと切り替えた際の、スイッチ子器１０の両端電圧を示した図、スイッチ親器２０の両端電圧を示した図、スイッチ親器２０の検出ポートＰの電圧を示した図である。
【００４１】
一般に、トライアックを制御して負荷へ交流電源より電源供給するように制御する電子式スイッチは、負荷のオン期間において自身の電源を確保するために、交流電源のゼロクロス後、僅かな時間（例えば、数１０μｓ程度）だけ負荷をオフとするオフ期間を設けるようにトライアックを制御している。これにより、図２（ｃ）に示すように、スイッチ親器２０の検出ポートＰの電圧は、負荷２がオン状態である場合には、このオフ期間において周期的なヒゲ状のピークが現れる電圧波形となる。
【００４２】
このとき、図２（ｃ）に示すようにスイッチ子器１０の押しボタンスイッチ１１が操作されるスイッチ子器操作期間Ｔｏへ移行した場合、このヒゲ状のピークが消失した電圧波形となる。したがって、スイッチ親器２０の制御回路２２は、検出ポートＰで検出される電圧波形の変化からスイッチ子器１０の押しボタンスイッチ１１が操作されたかどうかを判定することができる。なお、図２（ｃ）に示すスイッチ子器操作期間Ｔｏにおいて示される１Ｖ程度の電圧値は、トライアックＴＲＣ１のオン電圧である。
【００４３】
図３（ａ）、（ｂ）、（ｃ）は、それぞれ交流電源１からの電源供給が停止されたオフ状態の負荷２をスイッチ子器１０の操作により電源供給をするオン状態へと切り替えた際の、スイッチ子器１０の両端電圧を示した図、スイッチ親器２０の両端電圧を示した図、スイッチ親器２０の検出ポートＰの電圧を示した図である。
【００４４】
図３（ｃ）に示すように、スイッチ親器２０の検出ポートＰの電圧は、負荷２がオフ状態である場合には、図２（ｂ）に示すスイッチ親器２０の両端電圧の電圧波形を反映した周期的なパルス電圧を示す電圧波形となるが、スイッチ子器１０の押しボタンスイッチ１１が操作されるスイッチ子器操作期間Ｔｏでは、この周期的なパルス電圧が消失した電圧波形となる。したがって、スイッチ親器２０の制御回路２２は、検出ポートＰで検出される電圧波形の変化からスイッチ子器１０の押しボタンスイッチ１１が操作されたかどうかを判定することができる。なお、図３（ｃ）に示すスイッチ子器操作期間Ｔｏにおいて示される１Ｖ程度の電圧値は、トライアックＴＲＣ１のオン電圧である。
【００４５】
さらに、スイッチ親器２０の制御回路２２は、図２（ｃ）、図３（ｃ）で示したように検出ポートＰで検出される負荷制御回路の回路電圧の変化から押しボタンスイッチ１１が操作されたと判定した場合には、トライアックＴＲＣ１を制御して負荷２への電源供給状態を切り替える。
【００４６】
（第１の実施の形態の効果）
このように、本発明の第１の実施の形態として示す負荷制御回路は、機械式スイッチである押しボタンスイッチ１１からなるスイッチ子器１０のスイッチ操作を、電子式スイッチであるスイッチ親器２０の制御回路２２が、検出ポートＰで検出される当該負荷制御回路の回路電圧の変化から判定し、判定結果に応じて負荷２への電源供給状態を制御する。
【００４７】
これにより、電子式スイッチであるスイッチ親器２０を用いた負荷制御方式としながら、図１に示すように、スイッチ親器２０とスイッチ子器１０とは、１線で配線することができるため容易で安価に施工することができる。また、この負荷制御回路は、３路配線された場所でもスイッチ間の２線のうちのいずれか一方の配線を利用すればよいため、既存の配線状態を有効に活用することができる。
【００４８】
さらに、電子式スイッチであるスイッチ親器２０を用いることで、機械式スイッチでは実現できなかった、照明である負荷２の点灯・消灯制御の他に、調光制御やタイマによる負荷２の点灯、消灯を時間管理するといった高機能な負荷制御処理も容易に実現することができる。
【００４９】
［第２の実施の形態］
続いて、図４を用いて、本発明の第２の実施の形態として示す負荷制御回路について説明をする。図４に示すように、本発明の第２の実施の形態として示す負荷制御回路は、図１を用いて説明した本発明の第１の実施の形態として示す負荷制御回路の機械式スイッチであるスイッチ子器１０に替えて、電子式スイッチであるスイッチ子器３０を用いたものである。したがって、本発明の第２の実施の形態として示す負荷制御回路において、図１に示す負荷制御回路と重複する箇所については、同一の符号を付して説明を省略する。
【００５０】
この負荷制御回路は、スイッチ親器２０又はスイッチ子器３０を介したユーザによるスイッチ操作に応じて、負荷２に対する交流電源１からの電源供給を適切に制御する。また、本発明の第２の実施の形態として示す負荷制御回路は、停電が生じた場合に適切に停電モードへと移行することができる。
【００５１】
スイッチ子器３０は、双方向サイリスタであるトライアックＴＲＣ２と、交流電源１から供給される交流電源を全波整流して直流電源に変換し、当該スイッチ子器３０を駆動する電源を供給する電源回路３１と、当該スイッチ子器３０を統括的に制御する制御回路３２と、ユーザによって操作され負荷２への電源供給の開始要求、負荷２への電源供給の停止要求を入力する操作スイッチ３３とを備える電子式スイッチである。
【００５２】
トライアックＴＲＣ２は、２個のサイリスタを逆並列に接続し、双方向に電流を流せるようにした半導体素子であり、アノード、カソードで負荷制御回路に接続される。
【００５３】
制御回路３２は、トライアックＴＲＣ２のゲートにパルス信号を供給、パルス信号の供給停止を制御することでアノード、カソード間の導通（ターンオン）、導通の停止（ターンオフ）を制御する。制御回路３２は、操作スイッチ３３が操作されていない通常時において、所定の周期のパルス信号を供給し、アノード、カソード間を導通させるように制御している。
【００５４】
また、制御回路３２は、操作スイッチ３３が操作されたことに応じて所定の時間だけ、パルス信号の供給を停止し、トライアックＴＲＣ２のアノード、カソード間の導通を一定時間だけ停止するように制御する。この制御回路３２によるトライアックＴＲＣ２のアノード、カソード間の導通を停止させる時間は、例えば、操作スイッチ３３のスイッチ操作が、所定の閾値以下の時間であった場合でも、所定の閾値よりも長い時間であった場合でも同じ時間である。
【００５５】
図１に示した本発明の第１の実施の形態として示す負荷制御回路では、ある一定の閾値よりも長い時間、検出ポートＰで回路電圧が検出されない状態が続くと、スイッチ親器２０の制御回路２２が停電となったと判断して停電モードへと移行するようになっている。
【００５６】
しかしながら、第１の実施の形態として示す負荷制御回路では、スイッチ子器１０を機械式スイッチとしているため、ユーザによって押しボタンスイッチ１１が長時間、押下された場合、電源回路２１のダウンにより、検出ポートＰで検出される回路電圧は、停電時と同じような電圧状態を示すことになる。つまり、制御回路２２は、実際に停電が発生していない場合でも制御状態を停電モードへと移行させてしまう虞がある。
【００５７】
そのため、スイッチ親器２０の制御回路２２は、電源回路２１がダウンする直前でのスイッチ子器１０の押しボタンスイッチ１１が操作されたことを図示しないメモリなどに記憶させ、電源復旧時には、メモリに記憶させた押しボタンスイッチ１１の操作を反映させるように復帰制御を行う必要がある。このような復帰制御を行うためには、メモリを別途用意したり、回路配線を複雑にするなどコスト増加を招来してしまうことになる。
【００５８】
そこで、本発明の第２の実施の形態として示す負荷制御回路では、スイッチ子器３０を電子式スイッチとし、制御回路３２は、操作スイッチ３３のいかなるスイッチ操作によっても、トライアックＴＲＣ２のカソード、アノード間の導通を一定時間だけ停止するように制御する。これにより、スイッチ親器２０の制御回路２２は、検出ポートＰで検出される負荷制御回路の回路電圧に応じて、スイッチ子器３０の操作スイッチ３３の操作により、負荷２への電源供給を開始するよう要求されたのか、負荷２への電源供給を停止するよう要求されたのかを判定する。
【００５９】
具体的には、スイッチ親器２０の制御回路２２は、負荷２がオン状態の場合には、図２（ｃ）に示す検出ポートＰで検出されるような電圧波形、負荷２がオフ状態の場合には、図３（ｃ）に示す検出ポートＰで検出されるような電圧波形に基づき、スイッチ子器３０の操作スイッチ３３の操作を検出する。このとき、図２（ｃ）、図３（ｃ）のスイッチ子器操作期間Ｔｏとして示される検出ポートＰの電圧値が変化する期間は、スイッチ子器３０の操作スイッチ３３の操作期間にかかわらず一定時間となっている。
【００６０】
そして、制御回路２２は、判定結果に応じて、トライアックＴＲＣ１のゲートにパルス信号を供給、又はパルス信号の供給を停止することで、トライアックＴＲＣ１のアノード、カソード間を導通、又は導通を停止するよう制御する。これにより、スイッチ子器３０の操作に応じて、負荷２への交流電源１からの電源供給が制御され、実際に停電が発生した場合にのみ停電モードへと移行する。
【００６１】
さらに、スイッチ子器３０の制御回路３２は、瞬間的に発生する瞬時停電に対応するため、操作スイッチ３３のスイッチ操作に応じて所定の時間だけ、パルス信号の供給を停止し、トライアックＴＲＣ２のアノード、カソード間の導通を一定時間だけ停止するように制御する替わりに、操作スイッチ３３のスイッチ操作に応じてトライアックＴＲＣ２のゲートに所定のパルスパターンを示すパルス信号を供給するように制御する。
【００６２】
負荷制御回路に瞬時停電が発生した場合、スイッチ親器２０の検出ポートＰで検出される電圧値は、長時間の停電には有効であった操作スイッチ３３のスイッチ操作に応じて、トライアックＴＲＣ２のアノード、カソード間の導通を一定時間だけ停止させる制御により検出ポートＰで検出される電圧値と類似してしまう。したがって、マイコン２２は、スイッチ子器１０のスイッチ操作がなされたと判定してしまう可能性がある。
【００６３】
そこで、上述したように、スイッチ子器３０の制御回路３２は、操作スイッチ３３のスイッチ操作があった場合、トライアックＴＲＣ２のゲートに所定のパルスパターンを示すパルス信号を供給するように制御することで、瞬時停電において検出ポートＰで検出される回路電圧との区別を図り、スイッチ子器３０の操作を正確に判定するようにする。
【００６４】
検出ポートＰで検出される電圧波形は、トライアックＴＲＣ２を制御するパルスパターンを反映した電圧波形となる。
【００６５】
具体的には、負荷２がオン状態の場合には、図２（ｃ）に示す電圧波形のスイッチ子器操作期間Ｔｏを一定時間とし、この一定時間においてトライアックＴＲＣ２を制御するパルスパターンを反映した電圧波形が検出されることになる。また、負荷２がオフ状態の場合には、図３（ｃ）に示す電圧波形のスイッチ子器操作期間Ｔｏを一定時間とし、この一定時間においてトライアックＴＲＣ２を制御するパルスパターンを反映した電圧波形が検出されることになる。
【００６６】
（第２の実施の形態の効果）
このようにして、本発明の第２の実施の形態として示す負荷制御回路は、電子式スイッチであるスイッチ子器３０の操作スイッチ３３のスイッチ操作がない場合には、制御回路３２によりトライアックＴＲＣ２のアノード、カソード間を導通するように制御し、スイッチ操作されたことに応じて所定の時間だけトライアックＴＲＣ２のアノード、カソード間の導通を停止するように制御する。そして、電子式スイッチであるスイッチ親器２０の制御回路２２が、検出ポートＰで検出される当該負荷制御回路の回路電圧の変化からスイッチ子器３０の操作スイッチ３３が操作されたかどうかを判定し、判定結果に応じて負荷２への電源供給状態を制御する。
【００６７】
これにより、操作スイッチ３３が長押しされた場合であっても、スイッチ親器２０の制御回路２２は、操作スイッチ３３が操作されたことを正確に検出することができるため、停電時における処理と明確に区別することができる。
【００６８】
また、スイッチ子器３０の制御回路３２は、操作スイッチ３３のスイッチ操作に応じてトライアックＴＲＣ２のゲートに所定のパルスパターンを示すパルス信号を供給するように制御する。これにより、スイッチ親器２０の制御回路２２は、瞬時停電が発生した場合の誤動作を回避することができる。
【００６９】
［第３の実施の形態］
次に、図５を用いて、本発明の第３の実施の形態として示す負荷制御回路について説明をする。図５に示す本発明の第３の実施の形態として示す負荷制御回路は、図４に示した第２の実施の形態として示す負荷制御回路において、電子式スイッチであるスイッチ親器２０、スイッチ子器３０それぞれにおいて、負荷２の電源供給状態を通知する機能を備えた構成である。したがって、図４に示す第２の実施の形態として示す負荷制御回路と重複する構成については、同一符号を付し説明を省略する。
【００７０】
第３の実施の形態として示す負荷制御回路は、３路配線される機械式のスイッチを用いた負荷制御回路では一般的となっているが、親器と子器とからなる電子式スイッチを用いた負荷制御回路においては実現できていなかった発光ダイオード（ＬＥＤ：Light Emitting Diode）などを点灯させることで、負荷に対する電源供給状態やスイッチの設置位置をユーザに通知する通知機能を備えた構成となっている。
【００７１】
図５（ａ）に示すようにスイッチ親器２０には、負荷２の電源供給状態を通知する機能として発光ダイオード２５が設けられており、スイッチ子器３０には、発光ダイオード３４が設けられている。
【００７２】
発光ダイオード２５、３４は、それぞれ、制御回路２２、制御回路３２によって制御される。例えば、負荷２への電源供給が停止している場合には緑色に点灯するように制御され、ユーザに現在の負荷２への電源供給状態を通知する。
【００７３】
スイッチ親器２０に設けられた発光ダイオード２５は、当該負荷制御回路において、負荷２への電源供給制御を担う制御回路２２によって制御されるため、負荷２の電源供給状態を別途検出する必要がない。
【００７４】
一方、スイッチ子器３０においては、制御回路３２は、負荷２への電源供給状態を自身で把握することができないため、負荷制御回路の通電状態を検出するための通電状態検出部を設ける必要がある。
【００７５】
図５（ａ）では、この通電状態検出部として、電流トランス（ＣＴ）３５を設けている。電流トランス３５は、一次側と二次側の電流の比率が特定の比率に保たれるように設計された特殊なトランスであり、負荷制御回路に流れる交流電流を測定することができる。電流トランス３５で測定された測定値は、制御回路３２に出力される。制御回路３２は、電流トランス３５で測定された測定値から、負荷制御回路の通電状態を検出し、検出結果に応じて発光ダイオード３４の点灯を制御する。
【００７６】
また、図５（ｂ）に示すように、この通電状態検出部として、スイッチ子器３０にフォトカプラ３６を設けるようにすることもできる。フォトカプラ３６は、負荷制御回路に設けられた整流ダイオードＤ２、Ｄ３により整流された半波の電流を検出することができる。フォトカプラ３６で検出された電流は、制御回路３２に出力される。制御回路３２は、フォトカプラ３６による検出結果に応じて発光ダイオード３４の点灯を制御する。
【００７７】
また、図示しないがシャント抵抗を用いることで、主回路である負荷制御回路に対して分流回路を配置させ、この分流回路の電圧を検出することで主回路である負荷制御回路の電流変動を検出するようにしてもよい。制御回路３２は、この検出結果に応じて発光ダイオード３４の点灯を制御する。
【００７８】
（第３の実施の形態の効果）
このように、本発明の第３の実施の形態として示す負荷制御回路は、当該負荷制御回路の通電状態を検出する電流トランス３５やフォトカプラ３６といった通電状態検出部を設け、この通電状態検出部の検出結果に応じて、スイッチ子器３０の制御回路３２によって発光ダイオード３４の点灯を制御することで、負荷２への交流電源１による電源供給状態を外部に通知することができる。
【００７９】
なお、上述の実施の形態は本発明の一例である。このため、本発明は、上述の実施の形態に限定されることはなく、この実施の形態以外であっても、本発明に係る技術的思想を逸脱しない範囲であれば、設計等に応じて種々の変更が可能であることは勿論である。
【図面の簡単な説明】
【００８０】
【図１】本発明の第１の実施の形態として示す負荷制御回路の構成について説明するための図である。
【図２】負荷制御回路の負荷に対する電源供給状態が変化した際の回路電圧の時間的変化の一例を示した図である。
【図３】負荷制御回路の負荷に対する電源供給状態が変化した際の回路電圧の時間的変化の一例を示した図である。
【図４】本発明の第２の実施の形態として示す負荷制御回路の構成について説明するための図である。
【図５】本発明の第３の実施の形態として示す負荷制御回路の構成について説明するための図である。
【図６】従来の技術として示す負荷制御回路について説明するための図である。
【符号の説明】
【００８１】
１  交流電源
２  負荷
１０  スイッチ子器
１１  押しボタンスイッチ
２０  スイッチ親器
２２  制御回路
２３  操作スイッチ
２５  発光ダイオード
３０  スイッチ子器
３２  制御回路
３３  操作スイッチ
３４  発光ダイオード
３５  電流トランス
３６  フォトカプラ
ＴＲＣ１  トライアック
ＴＲＣ２  トライアック
【図１】
2007200672.tif 000003
【図２】
2007200672.tif 000004
【図３】
2007200672.tif 000005
【図４】
2007200672.tif 000006
【図５】
2007200672.tif 000007
【図６】
2007200672.tif 000008